(57)【特許請求の範囲】
【請求項１】
第１表示セル及び第２表示セルを含み、第１映像と視認角度が異なる第２映像を同時に表示する表示パネルと、前記表示パネルに対応して配置されて光を遮断または透過させるバリアとを含む立体映像表示装置の駆動方法において；
映像が表示されない第１期間の間、前記第１表示セルに前記第１映像に対応する第１データ信号を記録し、前記第２表示セルに前記第２映像に対応する第２データ信号を記録する段階と；
第２期間の間、前記バリアが光を透過させるように前記バリアを第１形態に駆動して、前記第１映像及び前記第２映像を表示する段階と；
映像が表示されない第３期間の間、前記第１表示セルに前記第２データ信号を記録して、前記第２表示セルに前記第１データ信号を記録する段階と；
第４期間の間、前記バリアが光を透過させるように前記バリアを前記第１形態とは異なる第２形態に駆動して、前記第１映像及び前記第２映像を表示する段階と；
を含み、
前記第２期間は、前記第１期間の終了時点よりも前記バリアの駆動遅延時間だけ先に開始され、前記第３期間の開始時点よりも前記バリアの駆動遅延時間だけ先に終了され、
前記第１期間のうちで前記第２期間と重複しない期間、および前記第３期間のうちで前記第４期間と重複しない期間に、前記バリアが光を遮断するように駆動することにより映像が表示されないようにすることを特徴とする立体映像表示装置の駆動方法。
【請求項２】
前記第２期間は前記第１期間の２倍より長く、前記第４期間は前記第３期間の２倍より長いことを特徴とする請求項１に記載の立体映像表示装置の駆動方法。
【請求項３】
前記バリアの前記第１形態と前記第２形態は、光の遮断領域と光の透過領域が互いに反対であることを特徴とする請求項１に記載の立体映像表示装置の駆動方法。
【請求項４】
前記表示パネルに光源を供給するバックライトをさらに含み、
前記表示パネルは、前記バックライトの光を利用して映像を表示する液晶素子を含み、
前記バックライトは、前記第２期間及び第４期間の間に導通されることを特徴とする請求項１〜３のいずれか一項に記載の立体映像表示装置の駆動方法。
【請求項５】
それぞれ印加されるデータ信号が記録されて、前記データ信号に対応する映像が表示される、第１表示セル及び第２表示セルを含む表示パネルと；
第１期間の間に、第１データ信号を前記第１表示セルに記録し、第２データ信号を前記第２表示セルに記録し、
第３期間の間に、前記第１データ信号を前記第２表示セルに記録し、前記第２データ信号を前期第１表示セルに記録する、表示パネル駆動部と；
前記表示パネルに対応して配置され、第１バリアセル及び第２バリアセルを含むバリアと；
前記第１期間に連続する第２期間の間、前記第１バリアセルが不透明セルになり、前記第２バリアセルが透明セルになり、
前記第３期間に連続する第４期間の間、前記第１バリアセルが透明セルになり、前記第２バリアセルが不透明セルになるように、前記バリアを駆動するバリア駆動部と；
を含み、
前記第２期間は、前記第１期間の終了時点よりも前記バリアの駆動遅延時間だけ先に開始され、前記第３期間の開始時点よりも前記バリアの駆動遅延時間だけ先に終了され、
前記第１期間のうちで前記第２期間と重複しない期間、および前記第３期間のうちで前記第４期間と重複しない期間に、前記第１バリアセルおよび前記第２バリアセルが光を遮断するように駆動することにより映像が表示されないようにすることを特徴とする立体映像表示装置。
【請求項６】
前記第１期間及び前記第３期間は、それぞれ前記第２期間及び前記第４期間の半分より短いことを特徴とする請求項５に記載の立体映像表示装置。
【請求項７】
第１表示セル及び第２表示セルを含み、第１映像と視認角度が異なる第２映像を同時に表示する表示パネルと、前記表示パネルと対応して配置され、光を遮断または透過させるバリアとを含む立体映像表示装置の駆動方法において；
第１データ記入期間の間に、前記第１表示セルに前記第１映像に対応する第１データ信号を記録し、前記第２表示セルに前記第２映像に対応する第２データ信号を記録し、前記バリアを光を遮断させる形態に駆動する段階と；
前記第１データ記入期間終了前の前記バリアの第１駆動遅延時間の間に、前記第１表示セルに前記第１映像に対応する前記第１データ信号を記録し、前記第２表示セルに前記第２映像に対応する前記第２データ信号を記録し、前記バリアを第１形態に駆動する段階と；
前記バリアの第１駆動遅延時間が終了した後、第１表示期間の間に、前記バリアを前記第１形態に駆動する段階と；
第２データ記入期間の間に、前記第１表示セルに前記第２データ信号を記録し、前記第２表示セルに前記第１データ信号を記録し、前記バリアを光を遮断させる形態に駆動する段階と；
前記第２データ記入期間終了前の前記バリアの第２駆動遅延時間の間に、前記第１表示セルに前記第２データ信号を記録し、前記第２表示セルに前記第１データ信号を記録し、前記バリアを前記第１形態とは異なる第２形態に駆動する段階と；
前記バリアの第２駆動遅延時間が終了した後、第２表示期間の間に、前記バリアを前記第１形態とは異なる前記第２形態に駆動する段階と；を含むことを特徴とする、立体映像表示装置の駆動方法。
【発明の詳細な説明】
【技術分野】
【０００１】
本発明は、立体映像表示装置及びその駆動方法にかかり、さらに詳しくは、バリア及び受発光表示パネルを利用して立体映像を表示する立体映像表示装置及びその駆動方法に関する。
【背景技術】
【０００２】
一般に、人間が立体感を感じる要因としては、生理的な要因及び経験的な要因があるが、近距離で立体感を認識する最も大きい要因としては、両眼視差（ｂｉｎｏｃｕｌａｒ  ｐａｒａｌｌａｘ）がよく知られている。そして、３次元映像表示技術では、このような両眼視差を利用して視聴者が物体の立体感を感じるようにしている。
【０００３】
両眼視差を利用した立体映像の表示方式は、視聴者が眼鏡を着用する眼鏡着用方式と、視聴者が眼鏡を着用しない眼鏡非着用方式とに大きく分類することができる。
【０００４】
眼鏡を着用しない眼鏡非着用方式の代表的なものとしては、例えば、レンチキュラー方式やバリア方式などを挙げることができる。レンチキュラー方式は、円筒形のレンズアレイを垂直に配列したレンチキュラー（ｌｅｎｔｉｃｕｌａｒ）レンズ板を、映像パネルに対応配置させる方式である。また、バリア方式は、不透明な領域と透明な領域とが反復配列されたバリア（ｂａｒｒｉｅｒ）を、映像パネルに対応配置させる方式である。このようなレンチキュラー方式及びバリア方式は、主に右眼と左眼の映像を空間的に分離する方式である。
【発明の開示】
【発明が解決しようとする課題】
【０００５】
しかし、上記レンチキュラー方式及びバリア方式による立体映像の表示においては、左眼映像と右眼映像とをそれぞれ左眼ピクセルと右眼ピクセルとに空間的に分割して記録させて表示させるため、観察者は表示装置が有する解像度の半分の解像度で３Ｄ立体映像を見ることになる。すなわち、３Ｄ映像の解像度は、実質的には２Ｄ映像の解像度の半分程度にしかならないという問題点がある。また、上記レンチキュラー方式及びバリア方式による立体映像表示では、左右の映像の間でクロストークが生じる恐れがあった。
【０００６】
そこで、本発明は、このような問題に鑑みてなされたもので、その目的とするところは、立体映像を表示させた際の解像度が減少しない立体映像表示装置及びその駆動方法を提供することである。
【０００７】
また、本発明の他の技術的課題は、クロストークを抑制できる立体映像表示装置及びその駆動方法を提供することである。
【課題を解決するための手段】
【０００８】
上記課題を解決するために、本発明のある観点によれば、第１表示セル及び第２表示セルを含み、第１映像と視認角度が異なる第２映像を同時に表示する表示パネルと、上記表示パネルに対応して配置されて光を遮断または透過させるバリアとを含む立体映像表示装置の駆動方法において；映像が表示されない第１期間の間、上記第１表示セルに上記第１映像に対応する第１データ信号を記録し、上記第２表示セルに上記第２映像に対応する第２データ信号を記録する段階と；第２期間の間、上記バリアが光を透過させるように上記バリアを第１形態に駆動して、上記第１映像及び上記第２映像を表示する段階と；映像が表示されない第３期間の間、上記第１表示セルに上記第２データ信号を記録して、上記第２表示セルに上記第１データ信号を記録する段階と；第４期間の間、上記バリアが光を透過させるように上記バリアを上記第１形態とは異なる第２形態に駆動して、上記第１映像及び上記第２映像を表示する段階と；を含むことを特徴とする立体映像表示装置の駆動方法が提供される。
【０００９】
このような本発明にかかる立体映像表示装置の駆動方法によれば、１フレーム分の第１映像及び第２映像（左眼映像及び右眼映像）を、上記第２期間と上記第４期間とにそれぞれ時分割して表示させることにより、表示装置に立体映像を表示させた場合でも、２Ｄ映像（２次元映像）を表示させた場合と同じ解像度で表示を行うことができる。具体的には、上記表示パネルの複数の表示セルを複数の第１表示セルと複数の第２表示セルとに分け、第１映像のうち第１表示セルの映像を第２期間に表示させ、第２表示セルの映像は第４期間に表示させる。一方、第２映像については、第１表示セルの映像は第４期間に表示させ、第２表示セルの映像は第１期間に表示させる。このように、１フレーム期間中、第１映像は第２期間と第４期間とに分けて表示されるが、２つの期間の第１映像を合わせると表示パネルの全セル分の第１映像となる。結局１フレーム期間中に表示される第１映像の解像度は表示パネルが有する解像度、すなわち２Ｄ映像を表示させた場合と同じ解像度になる。同様に、第２映像についても、２Ｄ映像を表示させた場合と同じ解像度で表示を行うことができる。
【００１０】
また、上記第１期間は、上記第２期間で表示される映像に対応するデータ信号を上記表示パネルに書き込む期間である。同様に、上記第３期間は、上記第４期間で表示される映像に対応するデータ信号を上記表示パネルに書き込む期間である。また、上記バリアは、上記第２期間には第１形態に駆動されるが、このとき、視聴者の右眼が第２期間に表示される右眼映像を、左眼が第２期間に表示される左眼映像を見ることができるように駆動されるのがよい。そして、上記バリアが上記第４期間に第２形態に駆動されるときは、視聴者の右眼が第４期間に表示される右眼映像を、左眼が第４期間に表示される左眼映像を見ることができるように駆動されるのがよい。
【００１１】
ここで、上記第２期間は上記第１期間の２倍より長く、上記第４期間は上記第３期間の２倍より長くなるようにするのがよい。このように、１フレーム期間のうち映像が表示される時間を上記のように確保することにより、１フレームの映像を時分割して表示させた場合にも視聴者が正常に映像を視聴することができる。
【００１２】
また、上記バリアの第１形態と上記バリアの第２形態は、光の遮断領域と光の透過領域が互いに反対であるのがよい。
【００１３】
また、上記第１期間及び上記第３期間の間、上記バリアが光を遮断するように駆動することにより映像が表示されないようにするのがよい。このように、上記第１期間及び上記第３期間のデータ信号書き込み期間の間に映像を表示させないようにすることにより、第２期間の映像と第４期間の映像、及び、第４期間の映像と次フレームの第２期間の映像とが重なり合うクロストークを防止することができる。
【００１４】
あるいは、上記表示パネルに光源を供給するバックライトをさらに含み；上記表示パネルは、上記バックライトの光を利用して映像を表示する受発光素子を含み；上記バックライトは、上記第２期間及び第４期間の間に導通されるようにすることもできる。このとき、上記第１期間の間、上記バリアは上記第１形態に駆動され、上記第３期間の間、上記バリアは上記第２形態に駆動されるようにすることができる。このように、映像を表示させる上記第２期間及び上記第４期間の間にバックライトを導通させ、それ以外の上記第１期間及び上記第３期間にはバックライトを導通させないようにすれば、上記第１期間及び上記第３期間における上記バリアを光の透過領域を含む上記第１形態及び上記第２形態にしておいても映像が表示されることはない。
【００１５】
上記課題を解決するために、本発明の別の観点によれば、それぞれ印加されるデータ信号が記録されて、上記データ信号に対応する映像が表示される複数の表示セルを含む表示パネルと；上記表示パネルの上記表示セルのそれぞれにデータ信号を印加する表示パネル駆動部と；上記表示パネルに対応して配置され、第１バリアセル及び第２バリアセルを含むバリアと；上記第１バリアセル及び上記第２バリアセルが透明セルまたは不透明セルになるように駆動し、上記表示セルに上記データ信号が記録される間、上記第１バリアセル及び上記第２バリアセルが不透明セルになるように駆動するバリア駆動部と；を含むことを特徴とする立体映像表示装置が提供される。
【００１６】
このような本発明にかかる立体映像表示装置によれば、上記第１バリアセル及び上記第２バリアセルは、上記表示セルにデータ信号を書き込む上記第１期間及び上記第３期間中は、不透明セルとなり、表示パネルには映像は表示されない。逆に、上記第１期間及び上記第３期間以外の期間では、上記バリアセルは不透明ではないため、上記表示パネルに映像が表示される。このとき、上記第１期間及び上記第３期間中の上記バリアセルは不透明であるため、映像が表示されないので、時系列的に前後する映像が重なり合って視認されるクロストークを防止することができる。
【００１７】
ここで、上記複数の表示セルは、第１表示セル及び第２表示セルを含み；上記表示パネル駆動部は、第１期間の間に、第１データ信号を上記第１表示セルに記録し、第２データ信号を上記第２表示セルに記録し、第３期間の間に、上記第１データ信号を上記第２表示セルに記録し、上記第２データ信号を前期第１表示セルに記録するように構成されるのがよい。かかる構成とすることにより、一フレームの第１映像のデータ信号を第１期間と第３期間とに分けて表示セルに書き込み、１フレームの第２映像のデータ信号を第１期間と第３期間とに分けて表示セルに書き込むことができる。すなわち、第１期間及び第３期間に書き込まれたデータ信号に対応する映像を短い時間で連続して表示させれば、１つの映像として視認させることができる。
【００１８】
そして、上記バリア駆動部は、上記第１期間に連続する第２期間の間、上記第１バリアセルが不透明セルになり、上記第２バリアセルが透明セルになり；上記第３期間に連続する第４期間の間、上記第１バリアセルが透明セルになり、上記第２バリアセルが不透明セルになるように、上記バリアを駆動するのがよい。このように上記バリアを駆動させることにより、上記第２期間に視聴者の右眼が見ることができる表示セルと、上記第４期間に視聴者の右眼が見ることができる表示セルは相互に異なる表示セルとなる。一方、上記第２期間に視聴者の左眼が見ることができる表示セルと、上記第４期間に視聴者の左眼が見ることができる表示セルも相互に異なる表示セルとなる。これにより、視聴者の右眼が上記第２期間と上記第４期間に見る映像を合わせると、表示パネルの全表示セル分の映像となる。同様に、視聴者の左眼が上記第２期間と上記第４期間に見る映像を合わせると、表示パネルの全表示セル分の映像となる。
【００１９】
このとき、上記第１期間及び上記第３期間は、それぞれ上記第２期間及び上記第４期間の半分より短くなるようにするのがよい。このように、１フレーム期間のうち映像が表示されない時間を上記のように短く設定することにより、１フレームの映像を時分割して表示させた場合にも視聴者が正常に映像を視聴することができる。
【００２０】
上記課題を解決するために、本発明の別の観点によれば、それぞれ印加されるデータ信号が記録されて、上記データ信号に対応する映像が表示される複数の表示セルを含み、上記各表示セルが受発光素子を含む表示パネルと；上記表示パネルの上記表示セルのそれぞれに上記データ信号を印加する液晶表示パネル駆動部と；上記表示パネルに光源を供給するバックライトと；上記表示セルに上記データ信号が記録される間、上記光源の供給が遮断されるように上記バックライトを駆動するバックライト駆動部と；上記表示パネルに対応して配置され、第１バリアセル及び第２バリアセルを含むバリアと；上記第１バリアセル及び上記第２バリアセルが透明セルまたは不透明セルになるように駆動するバリア駆動部と；を含むことを特徴とする立体映像表示装置が提供される。
【００２１】
このような本発明にかかる立体映像表示装置によれば、上記表示セルにデータ信号を書き込む上記第１期間及び上記第３期間中は、バックライトから表示パネルへの光源の供給が遮断されるため、表示パネルには映像は表示されない。一方、上記第１期間及び上記第３期間以外の期間では、バックライトから表示パネルへ光源が供給されるため、上記表示パネルに映像が表示される。このとき、上記第１期間及び上記第３期間中はバックライトの光源が遮断されて映像が表示されないので、時系列的に前後する映像が重なり合って視認されるクロストークを防止することができる。
【００２２】
ここで、上記表示パネルは第１表示セル及び第２表示セルを含み；上記表示パネル駆動部は、第１期間の間に、第１データ信号を上記第１表示セルに記録し、第２データ信号を上記第２表示セルに記録し、第３期間の間に、上記第１データ信号を上記第２表示セルに記録し、上記第２データ信号を上記第１表示セルに記録し；上記バックライト駆動部は、上記第１期間に連続する第２期間及び上記第３期間に連続する第４期間の間に上記バックライトが導通されるように、上記バックライトを駆動するように構成されるのがよい。かかる構成とすることにより、１フレームの第１映像のデータ信号を第１期間と第３期間とに分けて表示セルに書き込み、１フレームの第２映像のデータ信号を第１期間と第３期間とに分けて表示セルに書き込むことができる。そして、第１期間に書き込まれたデータ信号に対応する映像を第２期間に表示させ、第３期間に書き込まれたデータ信号に対応する映像を第４期間に表示させれば、視聴者は第２期間と第４期間に表示される映像を１つの映像として視認することができる。
【００２３】
このとき、上記バリア駆動部は、上記第１期間及び上記第２期間の間、上記第１バリアセルが不透明セルになり、上記第２バリアセルが透明セルになり；上記第３期間及び上記第４期間の間、上記第１バリアセルが透明セルになり、上記第２バリアセルが不透明セルになるように、上記バリアを駆動するのがよい。このように上記バリアを駆動させることにより、上記第２期間に視聴者の右眼が見ることができる表示セルと、上記第４期間に視聴者の右眼が見ることができる表示セルは相互に異なる表示セルとなる。一方、上記第２期間に視聴者の左眼が見ることができる表示セルと、上記第４期間に視聴者の左眼が見ることができる表示セルも相互に異なる表示セルとなる。これにより、視聴者の右眼が上記第２期間と上記第４期間に見る映像を合わせると、表示パネルの全表示セル分の映像となる。同様に、視聴者の左眼が上記第２期間と上記第４期間に見る映像を合わせると、表示パネルの全表示セル分の映像となる。
【００２４】
このとき、上記第１期間及び上記第３期間は、それぞれ上記第２期間及び上記第４期間の半分より短くなるようにするのがよい。このように、１フレーム期間のうち映像が表示されない時間を上記のように短く設定することにより、１フレームの映像を時分割して表示させた場合にも視聴者が正常に映像を視聴することができる。
【００２５】
上記課題を解決するために、本発明の別の観点によれば、第１表示セル及び第２表示セルを含み、第１映像と視認角度が異なる第２映像を同時に表示する表示パネルと、上記表示パネルと対応して配置され、光を遮断または透過させるバリアとを含む立体映像表示装置の駆動方法において；上記第１表示セルに上記第１映像に対応する第１データ信号を記録し、上記第２表示セルに上記第２映像に対応する第２データ信号を記録する段階と；上記第１表示セルに上記第１映像に対応する上記第１データ信号を記録し、上記第２表示セルに上記第２映像に対応する上記第２データ信号を記録し、上記バリアを第１形態に駆動する段階と；上記バリアを上記第１形態に駆動する段階と；を含むことを特徴とする立体映像表示装置の駆動方法が提供される。
【００２６】
このような本発明にかかる立体映像表示装置の駆動方法によれば、表示セルに対するデータ信号の書き込みが完了する前の段階で、バリアの駆動を先行して開始させることにより、データ信号の書き込みが完了した時点で、バリアは完全に駆動された状態になっていることができる。すなわち、液晶の動作の遅延時間分だけ先行させてバリアの駆動を開始させるようにするのがよい。
【００２７】
このとき、上記第１表示セルに上記第２データ信号を記録し、上記第２表示セルに上記第１データ信号を記録する段階と；上記第１表示セルに上記第２データ信号を記録し、上記第２表示セルに上記第１データ信号を記録し、上記バリアを上記第１形態とは異なる第２形態に駆動する段階と；上記バリアを上記第１形態とは異なる上記第２形態に駆動する段階と；をさらに含むようにするのがよい。これにより、１フレーム分の映像を表示させることができる。
【００２８】
また、上記バリアを上記第２形態に駆動する段階は、上記バリアの駆動遅延時間の間に継続されるのがよい。更に、上記バリアを上記第１形態に駆動する段階は、上記バリアの駆動遅延時間の間に継続されるのがよい。
【発明の効果】
【００２９】
以上説明したように本発明によれば、表示パネル及びバリアを時分割して駆動することにより、２Ｄ映像と同一の解像度で３Ｄ立体映像を表示することができる立体映像表示装置及びその駆動方法を提供できるものである。
【００３０】
更に、本発明によれば、表示パネルに映像が記録される間、バリア全体が不透明領域となるようにしたことにより、クロストークの発生を抑制することができ、表示される立体映像画像の品質を改善することができる立体映像表示装置及びその駆動方法を提供できるものである。
【００３１】
また、本発明によれば、表示パネルに映像が記録される間、表示パネルのバックライトを遮断させることにより、液晶の遅い動作速度によって発生する恐れのあるクロストークを抑制しつつ、バリアの動作時間を十分に確保して、映像を表示できる時間を長くすることのできる立体映像表示装置及びその駆動方法を提供できるものである。
【発明を実施するための最良の形態】
【００３２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３３】
先ず、本発明の第１の実施の形態について説明する。図１は、本発明の第１の実施の形態にかかる立体映像表示装置の構成を概略的に示す図である。
【００３４】
立体映像表示装置は、制御部１００と、バリア駆動部２１０と、バリア２２０と、表示パネル駆動部３１０と、表示パネル３２０と、バックライト４１０と、バックライト４２０とを含んで構成される。
【００３５】
制御部１００は、映像データ、水平同期信号（Ｈｓｙｎｃ）及び垂直同期信号（Ｖｓｙｎｃ）を受信して、制御信号及びデータ信号を生成し、バリア駆動部２１０、表示パネル駆動部３１０及びバックライト駆動部４１０に出力する。
【００３６】
表示パネル３２０は、複数の第１表示セル３２１及び複数の第２表示セル３２２を含むことができる。表示パネル３２０は、例えば、バックライトの光を利用して映像を表示する受発光素子を含む液晶表示パネル（Ｌｉｑｕｉｄ  Ｃｒｙｓｔａｌ  Ｄｉｓｐｌａｙ  ｐａｎｅｌ）であることができる。表示パネル３２０は、複数の行から構成され、各行には複数の第１表示セル３２１及び複数の第２表示セル３２２が交互に配列される。図１では説明の便宜上、一つの行に形成された複数の第１表示セル３２１及び複数の第２表示セル３２２だけを示した。表示パネル３２０には、第１表示セル３２１及び第２表示セル３２２に書き込まれたデータ信号に対応する映像が表示される。表示パネル３２０には、互いに視認角度が異なる第１映像と第２映像（左眼映像と右眼映像）を同時に表示することができる。例えば、第１表示セル３２１に第１映像を表示して第２表示セル３２２に第２映像を表示したり、または、第１表示セル３２１に第２映像を表示して第２表示セル３２２に第１映像を表示したりすることができる。
【００３７】
表示パネル駆動部３１０は、表示パネル３２０の第１表示セル３２１及び第２表示セル３２２のそれぞれにデータ信号を印加することができる。表示パネル駆動部３１０は、制御部１００から伝達された制御信号及びデータ信号に基づいて、左眼映像及び右眼映像が表示パネル３２０の第１表示セル３２１及び第２表示セル３２２にそれぞれ表示されるように、表示パネル３２０を駆動させる。このとき、表示パネル駆動部３１０は、表示パネル３２０を時分割駆動することができる。例えば、１フレームを時間的に分割して、各分割された時間ごとに第１表示セル３２１及び第２表示セル３２２にそれぞれ第１映像または第２映像が表示されるように表示パネル３２０を駆動することができる。具体的な例としては、第１時間（Ｔ１）においては、第１表示セル３２１に左眼映像が表示され、第２表示セル３２２に右眼映像が表示されるようにし、第２時間（Ｔ２）においては、第１表示セル３２１に右眼映像が表示され、第２表示セル３２２に左眼映像が表示されるように時分割駆動させることができる。
【００３８】
このとき、第１時間（Ｔ１）と第２時間（Ｔ２）の和が１つのフレーム（ｆｒａｍｅ）となる。また、１フレームは観察者がフリッカー（ｆｌｉｃｋｅｒ）を感じないような短い時間でなければならない。例えば、第１時間（Ｔ１）と第２時間（Ｔ２）をそれぞれ１／１２０秒として、１フレームは１／６０秒とすることができる。
【００３９】
バリア２２０は、第１表示セル３２１及び第２表示セル３２２にそれぞれ対応する複数の第１バリアセル２２１及び複数の第２バリアセル２２２を含むことができる。バリア２２０は、表示パネル３２０に対応して配置され、第１バリアセル２２１及び第２バリアセル２２２は、光を選択的に遮断または透過させることができる。図１では、表示パネル３２０と同様に、一つの行に形成された複数の第１表示セル３２１及び複数の第２表示セル３２２に対応する第１バリアセル２２１及び第２バリアセル２２２だけを示した。
【００４０】
バリア駆動部２１０は、第１バリアセル２２１及び第２バリアセル２２２がそれぞれ透明セルまたは不透明セルになるように、バリア２２０を時分割駆動させることができる。例えば、１フレームを時間的に分割して、各分割された時間ごとに第１バリアセル２２１及び第２バリアセル２２２が異なる形態で動作されるようにバリアセル２２０を駆動することができる。
【００４１】
バックライト４２０は、表示パネル３２０が受発光素子を利用した液晶表示パネルである場合の、受発光素子を発光させるための光源である。
【００４２】
バックライト駆動部４１０は、制御部１００の制御信号に基づいて、バックライトの導通／遮断を制御する。
【００４３】
次に、図２ａ及び図２ｂを参照して、本発明の第１の実施の形態にかかる立体映像表示装置の駆動方法についてより詳細に説明する。第1の実施の形態にかかる立体映像表示装置の駆動方法によれば、立体映像表示装置に、第１左眼映像及び第１右眼映像を含む第１立体映像が第１フレームに、第２左眼映像及び第２右眼映像を含む第２立体映像が第２フレームに順次に表示される。
【００４４】
図２ａ及び図２ｂは、第１フレームを時分割した第１時間（Ｔ１）及び第２時間（Ｔ２）の間に第１立体映像が表示されて、観察者が立体映像を認識する過程を概略的に示した図である。
【００４５】
図２ａに示されているように、第１フレームの第１時間（Ｔ１）の間に、表示パネル３２０の第１表示セル３２１には第１左眼映像（Ｌ１）が表示され、第２表示セル３２２には第１右眼映像（Ｒ１）が表示される。この時、第１バリアセル２２１は不透明セルになって映像を遮断し、第２バリアセル２２２は透明セルになって映像を透過させる。その後、図２ｂに示されているように、第１フレームの第２時間（Ｔ２）の間に、表示パネル３２０の第２表示セル３２２には第１左眼映像（Ｌ１）が表示され、第１表示セル３２１には第1右眼映像（Ｒ１）が表示される。この時、第２バリアセル２２２は不透明セルになって映像を遮断し、第１バリアセル２２１は透明セルになって映像を透過させる。このように、第１左眼映像及び第１右眼映像（第１フレームの第１映像及び第１フレームの第２映像）がそれぞれ第１時間及び第２時間に時分割されて表示されることにより、第１フレームの立体映像（第１立体映像）が表示される。
【００４６】
その後、図示されていないが、第１立体映像の場合と同様に、第２フレームの第１時間（Ｔ１）の間に、表示パネル３２０の第１表示セル３２１には第２左眼映像（Ｌ２）が表示され、第２表示セル３２２には第２右眼映像（Ｒ２）が表示される。この時、第１バリアセル２２１は不透明セルになって映像を遮断し、第２バリアセル２２２は透明セルになって映像を透過させる。その後、第２フレームの第２時間（Ｔ２）の間に、表示パネル３２０の第２表示セル３２２には第２左眼映像（Ｌ２）が表示され、第１表示セル３２１には第２右眼映像（Ｒ２）が表示される。この時、第２バリアセル２２２は不透明セルになって映像を遮断し、第１バリアセル２２１は透明セルになって映像を透過させる。このように、第２左眼映像及び第２右眼映像（第２フレームの第１映像及び第２フレームの第２映像）がそれぞれ第１時間及び第２時間に時分割されて表示されることにより、第２フレームの立体映像（第２立体映像）が表示される。
【００４７】
結果的に、一つの左眼映像（Ｌ１，Ｌ２）が第１時間（Ｔ１）の間には第１表示セル３２１に表示され、第２時間（Ｔ２）の間には第２表示セル３２２に表示されるため、観察者は第１表示セル３２１及び第２表示セル３２２を全て同時に認識するようになって、２Ｄ映像の解像度と同一の解像度で３Ｄ立体映像を見ることができるようになる。すなわち、第１映像（左眼映像）のうち第１表示セル３２１の映像は第１時間（Ｔ１）に表示され、第２表示セル３２２の映像は第２時間（Ｔ２）に表示されるように時分割駆動される。一方、第２映像（右眼映像）のうち第２表示セルの映像は第１時間（Ｔ１）に表示され、第１表示セルの映像は第２時間（Ｔ２）に表示されるように時分割駆動される。
【００４８】
次に、図３を参照して、本発明の第１の実施の形態にかかる立体映像表示装置の駆動方法についてより詳細に説明する。図３は、第１の実施の形態にかかる立体映像表示装置の駆動方法を具体的に示す図である。
【００４９】
先ず、第１フレームの第１時間（Ｔ１）のデータ書込み時間（Ｔ１_ｗ）（第１期間）の間に、第１左眼データ信号が表示パネル３２０の第１表示セル３２１に記録される。図示されていないが、第１表示セル３２１に第１左眼データ信号が記録されると同時に、第２表示セル３２２に第１右眼データ信号が記録される。第１左眼データ信号が第１表示セル３２１に記録されている間は、バリア２２０の全てのセルは不透明セルになり、バックライト４２０による表示パネル３２０への光を全て遮断して、表示パネル３２０は非発光状態、すなわち映像が表示されない状態となる。そして、第１フレームの第１時間（Ｔ１）の表示時間（Ｔ１_Ａ）（第２期間）の間は、バリア２２０が駆動され、バリア２２０のセルのうち第１バリアセル２２１は不透明セルになって映像を遮断し、第２バリアセル２２２は透明セルになって映像を透過させる。すなわち、第２期間の間、バリア２２０は第１形態で駆動されるバリア（Ａ）となる。従って、表示時間（Ｔ１_Ａ）の間に表示パネル３２０は発光状態になって、第１左眼映像及び第１右眼映像が表示される。
【００５０】
その後、第１フレームの第２時間（Ｔ２）のデータ書込み時間（Ｔ２_ｗ）（第３期間）の間に、第１右眼データ信号が表示パネル３２０の第１表示セル３２１に記録される。第１右眼データ信号が第１表示セル３２１に記録されている間、バリア２２０の全てのセルは不透明セルになって、バックライト４２０から表示パネル３２０への光を全て遮断する。そして、第１フレームの第２時間（Ｔ２）の表示時間（Ｔ２_Ｂ）（第４期間）の間には、バリア２２０が駆動されて、バリア２２０のセルのうち第１バリアセル２２１は透明セルになって映像を透過させ、第２バリアセル２２２は不透明セルになって映像を遮断する。すなわち、第４期間の間、バリア２２０は第２形態で駆動されるバリア（Ｂ）となる。従って、表示時間（Ｔ２_Ｂ）の間に表示パネル３２０は発光状態になって、第１左眼映像及び第１右眼映像が表示される。
【００５１】
また、上述したように、第１形態で駆動されるバリア（Ａ）と、第２形態で駆動されるバリア（Ｂ）とは、光の遮断領域と光の透過領域が互いに反対となるように駆動されるのがよい。
【００５２】
上記のようにして、第１時間（Ｔ１）及び第２時間（Ｔ２）の間、つまり、第１フレームの間、立体映像表示装置には第１立体映像が表示される。そして、第１フレームに続く第２フレームの間には、第１フレームと同様の過程により、立体映像表示装置に第２立体映像が表示される。
【００５３】
以上のように、本発明の第１の実施の形態によれば、観察者は、第１映像と第２映像（左眼映像と右眼映像）のそれぞれを左眼及び右眼で見ることによって、表示された映像を立体映像として感じることができる。またこのとき、観察者は、時間（Ｔ１_Ａ）（第２期間）の間に表示された映像と、時間（Ｔ２_Ｂ）（第４期間）の間に表示された映像が同時に表示されたと認識するようになる。ここで、データ書込み時間（Ｔ１_ｗ，Ｔ２_ｗ）（第１期間，第３期間）が、それぞれ表示時間（Ｔ１_Ａ，Ｔ２_Ｂ）（第２期間，第４期間）の１／２以下であると、立体映像の表示が正常に行われる。
【００５４】
また、観察者は第１時間（Ｔ１）の間に第１表示セル３２１の第１左眼映像を第２バリアセル２２２を通して、第２時間（Ｔ２）の間に第２表示セル３２２の第１左眼映像を第１バリアセル２２１を通して見ることができる。つまり、観察者は１フレーム内において第１表示セル３２１と第２表示セル３２２を全て見るようになるため、２Ｄ映像と同一の解像度で立体映像を見ることになる。
【００５５】
ここで、表示パネル３２０にデータが記録される間、すなわちデータ書込み時間（Ｔ１_ｗ及びＴ２_ｗ）の間に、バリア２２０を通して映像が表示されると、観察者にとっては以前に表示された映像と現在書き込まれている映像が重なって見える場合がある。しかし、本発明の第１の実施の形態によれば、データ書込み時間（Ｔ１_ｗ及びＴ２_ｗ）の間は、ノーマリーブラックであるバリア２２０が動作しないため不透明な状態になる。したがって、観察者は現在記録されている映像を見ることができないため、映像が重なって見えるクロストークを効果的に減らすことができる。
【００５６】
次に、図４を参照して、本発明の第２の実施の形態にかかる立体映像表示装置の駆動方法について詳細に説明する。図４は、本発明の第２の実施の形態にかかる立体映像表示装置の駆動方法を具体的に示す図である。
【００５７】
本発明の第２の実施の形態にかかる立体映像表示装置の駆動方法は、バリアの駆動及び表示パネルのバックライトの駆動が第１の実施の形態にかかる駆動方法とは異なるが、立体映像表示装置の構成は第１の実施の形態と同様である。従って、以下、第１の実施の形態と同一部分の説明は省略してバリアの駆動及び表示パネルのバックライトの駆動を中心に説明する。
【００５８】
先ず、第１フレームの第１時間（Ｔ１）のデータ書込み時間（Ｔ１_ｗ）の間に、第１左眼データ信号が表示パネル３２０の第１表示セル３２１に記録される。図示されていないが、第１表示セル３２１に第１左眼データ信号が記録されると同時に、第２表示セル３２２に第１右眼データ信号が記録される。表示パネル３２０の光源であるバックライト４２０は、第１左眼データ信号が第１表示セル３２１に記録されるデータ書込み時間（Ｔ１_ｗ）（第１期間）の間には遮断（ＯＦＦ）されているが、データ書込み時間（Ｔ１_ｗ）が終了した後の表示時間（Ｔ１_Ｌ）（第２期間）の間には導通（ＯＮ）された状態となる。一方、バリア２２０は、第１時間（Ｔ１）（第１期間及び第２期間）の間に継続して駆動され、バリア２２０のセルのうち第１バリアセル２２１は不透明セルになって映像を遮断し、第２バリアセル２２２は透明セルになって映像を透過させるバリア（Ａ）となる。従って、表示時間（Ｔ１_Ｌ）の間に第１左眼映像及び第１右眼映像が表示される。
【００５９】
その後、第１フレームの第２時間（Ｔ２）のデータ書込み時間（Ｔ２_ｗ）の間に、第１右眼データ信号が表示パネル３２０の第１表示セル３２１に記録される。図示されていないが、同様に第２表示セル３２２に第１左眼データ信号が記録される。表示パネル３２０の光源であるバックライト４２０は、第１右眼データ信号が第１表示セル３２１に記録されるデータ書込み時間（Ｔ２_ｗ）（第３期間）の間には遮断（ＯＦＦ）されるが、データ書込み時間（Ｔ２_ｗ）が終了した後の表示時間（Ｔ２_Ｌ）（第４期間）の間には導通（ＯＮ）された状態となる。一方、バリア２２０は、第２時間（Ｔ２）（第３期間及び第４期間）の間に継続して駆動され、バリア２２０のセルのうち第１バリアセル２２１は透明セルになり、第２バリアセル２２２は不透明セルのバリア（Ｂ）となる。従って、表示時間（Ｔ２_Ｌ）の間に第１左眼映像及び第１右眼映像が表示される。
【００６０】
このようにして、第１フレームの間、すなわち第１期間（Ｔ１）及び第２期間（Ｔ２）の間に、立体映像表示装置には第１立体映像が表示される。そして、第１フレームに続く第２フレームの間には、第１フレームと同様の過程により、立体映像表示装置に第２立体映像が表示される。
【００６１】
このように本発明の第２の実施の形態によれば、観察者は表示時間（Ｔ１_Ｌ）の間に表示された映像と表示時間（Ｔ２_Ｌ）の間に表示された映像が同時に表示されたと認識するようになり、それぞれの映像を左眼及び右眼で見ることによって、表示された映像を立体映像として感じることができる。
【００６２】
また、観察者は１フレーム内において第１表示セル３２１と第２表示セル３２２を全て見ることになるため、２Ｄ映像と同一の解像度で立体映像を見ることになる。
【００６３】
更に、表示パネル３２０にデータが記録される間、つまり、データ書込み時間（Ｔ１_ｗ及びＴ２_ｗ）の間には、バリア２２０は駆動された状態となるが、バックライト４２０は点灯されないため、映像は表示されない。このような駆動方法により、液晶の反応速度などによって発生し得る、映像が重なって見えるクロストークなどの現象を少なくすることができる。このとき、バックライトの動作速度は液晶の動作速度よりも速いため、バリアの動作時間を長く維持することができる。従って、本発明の第２の実施の形態のように、映像が重なる映像記録時間にバリアを導通させて、次の映像記録時間にバリアを遮断させるようにすれば、クロストークを減らし、かつ十分な時間、映像を表示することができる。
【００６４】
次に、図５を参照して、本発明の第３の実施の形態にかかる立体映像表示装置の駆動方法について詳細に説明する。図５は、本発明の第３の実施の形態にかかる立体映像表示装置の駆動方法を具体的に示す図である。
【００６５】
本発明の第３の実施の形態にかかる立体映像表示装置の駆動方法は、データ書込み時間が終了する前にバリアの駆動が始まって、データ書込み時間が始まる前にバリアの駆動が終了するという点が、第１の実施の形態にかかる駆動方法とは異なる。
【００６６】
具体的には、図５に示されたように、データ書込み時間（Ｔ１_ｗ）が終了する前に、バリア２２０のバリア（Ａ）としての駆動を開始させる。つまり、時間（Ｔｒ）ほどデータ書込み時間（Ｔ１_ｗ）と表示時間（Ｔ１_Ａ）が重なることになる。また、表示時間（Ｔ１_Ａ）の終了後は、時間（Ｔｆ）が経過した後に、データ書込み時間（Ｔ２_ｗ）の開始となり、データの書き込みが実行される。
【００６７】
図５の曲線（ａ）は液晶の反応速度を示したものであるが、曲線（ａ）からわかるように、第３の実施の形態にかかる立体映像表示装置の駆動方法によれば、バリア２２０に駆動電圧が印加され始めてから時間（Ｔｒ）が経過した後に、バリア２２０は完全にバリア（Ａ）として駆動することができる。すなわち、時間（Ｔｒ）は、バリア２２０の駆動遅延時間であることができ、この間にバリア２２０は第１形態のバリア（Ａ）として駆動される。従って、時間（Ｔｒ）及びデータ書込み時間（Ｔ１_ｗ）が終了された時から、より鮮明に映像が表示される。同様に、バリア２２０に対する駆動電圧の印加が遮断され始めてから時間（Ｔｆ）が経過した後に、バリア２２０は完全にノーマリーブラックの状態となる。その後、データ書込み時間（Ｔ２_ｗ）の間にさらに確実なノーマリーブラックの状態になって、映像の表示を確実に遮断させることができる。
【００６８】
その後、データ書込み時間（Ｔ２_ｗ）が終了する前に、バリア２２０のバリア（Ｂ）としての駆動を開始させる。つまり、時間（Ｔｒ）ほどデータ書込み時間（Ｔ１_ｗ）と表示時間（Ｔ２_Ｂ）が重なることになる。このとき、時間（Ｔｒ）は、バリア２２０の駆動遅延時間であることができ、この間にバリア２２０は第２形態のバリア（Ｂ）として駆動される。また、表示時間（Ｔ２_Ｂ）の終了後は、時間（Ｔｆ）が経過した後に、第２フレームのデータ書込み時間（Ｔ１_ｗ）の開始となり、データの書き込みが実行される。
【００６９】
上記のように、バリアの導通／遮断時間の開始が、表示時間よりも液晶の動作遅延時間分だけ先行するように駆動させると、さらに効果的にクロストークを防止することができる。
【００７０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７１】
例えば、本発明の実施の形態においては、バリアが左眼映像と右眼映像の二つの視認角度を有する場合を例にとって説明したが、三つ以上の複数の透過領域が備えられて、透過領域を時分割的に順次開放するように動作する三つ以上の視認角度を有する場合についても、本発明を適用することができる。
【産業上の利用可能性】
【００７２】
本発明は、立体映像表示装置及びその駆動方法に適用可能であり、特に、バリア及び受発光表示パネルを利用して立体映像を表示する立体映像表示装置及びその駆動方法に適用可能である。
【図面の簡単な説明】
【００７３】
【図１】本発明の第１の実施形態にかかる立体映像表示装置の構成を概略的に示す図である。
【図２ａ】第１時間（Ｔ１）及び第２時間（Ｔ２）の間に第１立体映像が表示されて、観察者が立体映像を認識する過程を概略的に示す図である。
【図２ｂ】第１時間（Ｔ１）及び第２時間（Ｔ２）の間に第１立体映像が表示されて、観察者が立体映像を認識する過程を概略的に示す図である。
【図３】本発明の第１の実施の形態かかる立体映像表示装置の駆動方法を具体的に示す図である。
【図４】本発明の第２の実施の形態にかかる立体映像表示装置の駆動方法を具体的に示す図である。
【図５】本発明の第３の実施の形態にかかるえ立体映像表示装置の駆動方法を具体的に示す図である。
【符号の説明】
【００７４】
１００          制御部
２１０          バリア駆動部
２２０          バリア
２２１          第１バリアセル
２２２          第２バリアセル
３１０          表示パネル駆動部
３２０          表示パネル
３２１          第１表示セル
３２２          第２表示セル
４１０          バックライト駆動部
４２０          バックライト
【図１】
0005603531.tif 000002
【図２ａ】
0005603531.tif 000003
【図２ｂ】
0005603531.tif 000004
【図３】
0005603531.tif 000005
【図４】
0005603531.tif 000006
【図５】
0005603531.tif 000007